(57)【要約】      （修正有）【課題】磁石を使用したバックルでありながら、ベルトの長さ調節を行うことができるものを提供する。また、磁石の強固な取り付け方法も併せて提供する。【解決手段】接合及び離脱が可能な第１部材３及び第２部材４からなるバックルである。前記第１部材は、非磁性又は低磁性の素材からなる第１基板３１と、ベルト挿通用孔３２，３３と、ベルト側の穴に選択的に挿入してベルトの長さ調節をするための突起３８と、接合用第１磁石３５と、位置決め及び接合補強用の係合手段とを有する。前記第２部材は、非磁性又は低磁性の素材からなる第２基板４１と、ベルト挿通用孔と、接合用第２磁石４５と、位置決め及び接合補強用の第２係合手段とを有する。【選択図】図３
2012147980.tif 000002
【特許請求の範囲】
【請求項１】
接合及び離脱が可能な第１部材（３）及び第２部材（４）からなるバックル（Ｂ）であって、
前記第１部材（３）は、非磁性又は低磁性の素材からなる第１基板（３１）と、ベルト挿通用孔（３２，３３）と、ベルト側の穴に選択的に挿入してベルトの長さ調節をするための突起（３８）と、接合用第１磁石（３５）と、位置決め及び接合補強用の第１係合手段（３９）とを有し、
前記第２部材（４）は、非磁性又は低磁性の素材からなる第２基板（４１）と、ベルト挿通用孔（４２）と、前記接合用第１磁石（３５）と吸着可能な接合用第２磁石（４５）と、前記第１手段（３９）と係合可能な、位置決め及び接合補強用の第２係合手段（４６）とを有することを特徴とする、
磁石を使用したバックル。
【請求項２】
前記第１及び／又は第２磁石（３５，４５）が、同一形状の方形薄板であり、接着面側に向かって裾広がりの貫通孔（３６，４４）を有し、前記第１及び／又は第２基板（３，４）はピン（３７，４７）を有し、このピンを前記第１及び／又は第２磁石の前記貫通孔（３６，４４）に挿入し加圧変形させて、かしめ止めした請求項１記載のバックル。
【請求項３】
前記第１及び／又は第２磁石（３５，４５）が、ＢＨ  ｍａｘ（最大エネルギー積）が３００〜５００であるネオジウム磁石である請求項１又は２記載のバックル。
【請求項４】
前記第１及び／又は第２基板の位置決め及び接合補強用の第１及び／又は第２係合手段（３９，４６）は、一方の２個所の突起（４６）とこれに対応する他方の２個所の貫通孔（３９）である請求項１ないし３のいずれかに記載のバックル。
【請求項５】
請求項１ないし４のいずれかに記載のバックルを使用した履物。
【発明の詳細な説明】
【技術分野】
【０００１】
本発明は、磁石を使用したバックルに関する。このバックルは、たとえば被服・カバン・履物などのベルトやストラップ（以下、「ベルト」と総称する）に使用することができる。
【背景技術】
【０００２】
バックルを使用したベルトで周知のものは、ベルト側に一定間隔で複数の穴をあけ、バックル側の突起をその穴に選択的に挿入することにより、ベルトの両端を長さ調節が可能なように接合するものである。
【０００３】
このようなバックルは手や指の複雑な動きを必要とするので、幼児や手に障害を負った人には使用しづらい。また、靴やサンダル等、履物用のバックルとして使用した場合、かがんだ状態で体をひねりながら、無理な体勢でベルトを締めるのは一般の人でも大変な作業である。
【０００４】
そこで、一対の磁石をバックルに設けることにより、磁石の吸着力によりベルトの二端を接合するタイプの発明が提案されている（たとえば特開２００２−１９１４１０参照）。このバックルでは、磁石によって２部材を吸着させると共に、これら２部材を即物的にも係合させる手段である凹凸部が設けられている。
【発明の概要】
【発明が解決しようとする課題】
【０００５】
前記従来技術には次の点で改良が望まれた。
【０００６】
（１）バックル両末端にはベルトが取り付けられるが、バックル本体部にはベルトは取り付けられていない。そのため、ベルトの長さ調節を行うことができない。
【０００７】
（２）磁石は単に接着剤で取り付けられているだけであり、時間の経過と共にはがれ落ちる可能性がある。
【０００８】
（３）磁石と共に用いられる２部材を係合させる手段である凹凸部は１個所であるため、ひねりに対して係合力が弱いものとなっている。
【０００９】
（４）靴やサンダルのバックルとして使用する場合、足の甲側から強い力が加わるが、この従来技術では、力点から支点への距離が長く、足の甲側からの力に耐えられないおそれがある。
【００１０】
本発明は、前記従来技術の欠点を解消させることに行われたもので、磁石を使用したバックルでありながら、ベルトの長さ調節を行うことができるものを提供する。また、磁石の強固な取り付け方法も併せて提供するものである。
【課題を解決するための手段】
【００１１】
本発明は、接合及び離脱が可能な第１部材及び第２部材からなるバックルであって、前記第１部材は、非磁性又は低磁性の素材からなる第１基板と、ベルト挿通用孔と、ベルト側の穴に選択的に挿入してベルトの長さ調節をするための突起と、接合用第１磁石と、位置決め及び接合補強用の係合手段とを有し、前記第２部材は、非磁性又は低磁性の素材からなる第２基板と、ベルト挿通用孔と、前記接合用第１磁石と吸着可能な接合用第２磁石と、前記第１手段と係合可能な、位置決め及び接合補強用の第２係合手段とを有することを特徴とする（請求項１）。
【００１２】
好ましくは、前記第１及び／又は第２磁石は、方形の薄板であり、接着面側に向かって裾広がりの貫通孔を有し、前記第１及び／又は第２基板はピンを有し、このピンを前記第１及び／又は第２磁石の前記貫通孔に挿入し加圧変形させて、かしめ止めすることである（請求項２）。
【００１３】
また、好ましくは、前記第１及び／又は第２磁石は、ＢＨ  ｍａｘ（最大エネルギー積）が３００〜５００であるネオジウム磁石である（請求項３）。
【００１４】
また、好ましくは、前記第１及び／又は第２基板の位置決め及び接合補強用の係合手段は、一方の突起と他方の貫通孔である。それぞれ２個ずつ設けることが好ましい（請求項４）。
【００１５】
本発明のバックルは、被服・カバン・履物用として幅広く使用可能であるが、特に履物（靴やサンダル）用として好ましい（請求項５）。
【発明の効果】
【００１６】
本発明請求項１のバックルによると、第１及び第２部材は、共に磁石を有し、これらの吸着により接合が可能であるので、幼児や手に障害のある人でも容易に脱着することができる。また、前記第１及び／又は第２基板は、位置決め及び接合補強用の係合手段を有するので、ベルトの長さ方向には強い係合力を有する。さらに、第１部材は、ベルト側の穴に選択的に挿入してベルトの長さ調節をするための突起を有するので、ベルトの長さ調節が可能である。
【００１７】
本発明請求項２のバックルによると、前記第１及び／又は第２磁石は、非磁性又は低磁性の素材からなる基板中に強固にかしめ止めされている同一形状の方形部材であるので、第１及び第２部材は、互いに方形の磁石の作用によりバックルの回転が抑制され、安定的に正しい位置に誘導され、接合される。
【００１８】
本発明請求項３のバックルによると、現時点で最も使用条件のよいと考えられる磁石を使用したバックルが提供される。
【００１９】
本発明請求項４のバックルによると、磁石と共に用いられる２部材を係合させる手段である凹凸部はそれぞれ２個所であるため、ひねりに対して安定的なものとなっている。
【図面の簡単な説明】
【００２０】
【図１】本発明のバックルを使用した靴用のベルトの斜視図であり、（ａ）は接合状態、（ｂ）は離脱状態を示している。
【図２】第１及び第２部材の接合状態における本発明のバックルを表し、（ａ）正面図、（ｂ）背面が、（ｃ）平面図、（ｄ）底面図、（ｅ）図（ａ）のｅ−ｅ断面図、（ｆ）左側面図、（ｇ）右側面図、（ｈ）図（ｆ）のｈ−ｈ断面図である。
【図３】接合状態における雌雄バックルの長手方向断面図である。
【図４】本発明のバックルの第１部材を表し、（ａ）正面図、（ｂ）背面が、（ｃ）平面図、（ｄ）底面図、（ｅ）図（ａ）のｅ−ｅ断面図、（ｆ）左側面図、（ｇ）右側面図、（ｈ）図（ｆ）のｈ−ｈ断面図である。
【図５】本発明のバックルの第２部材を表し、（ａ）正面図、（ｂ）背面が、（ｃ）平面図、（ｄ）底面図、（ｅ）図（ａ）のｅ−ｅ断面図、（ｆ）左側面図、（ｇ）右側面図、（ｈ）図（ｆ）のｈ−ｈ断面図である。
【発明を実施するための形態】
【００２１】
以下、添付の図面に基づき、本発明の１実施例を説明する。
【実施例１】
【００２２】
図１に示すように、このバックルＢは、足の甲を支える靴１のストラップベルト２用として使用可能である。（ａ）に示すように、このベルト２は、外観は従来のものと変わりはないが、（ｂ）に示すように、バックルＢの２部材（上側を「第１部材３」、下側を「第２部材４」と呼ぶ）は磁石により吸着可能であり、上下方向に指で引っ張ることにより離脱も容易である。
【００２３】
図２は第１部材３と第２部材４の接合状態の詳細を示している。それぞれの部材を図４及び図５に基づいて説明する。
【００２４】
＜第１部材＞
第１部材３は、図４に示すように、全体の輪郭が長円形の第１基板３１である。基板３１としては、亜鉛ダイカスト、アルミニウム、メッキ可能な合成樹脂（ＡＢＳ等）など、非磁性又は低磁性の素材が好ましい。
【００２５】
第１部材３の左端及び右端の付近において、それぞれ長円状のベルト挿通孔３２，３３が設けられている。
【００２６】
図４（ｂ）に示すように、第１部材３の中央部には矩形の窪み３４が設けられており、この中に第１磁石３５が固着されている。この第１磁石３５は方形の薄板であり、その中央部に接着面側に向かって裾広がりの貫通孔３６を有する。
【００２７】
第１磁石３５と第１基板３１の接合は、第１基板３１の窪み３６に予めピン３７を設けておき、そのピン３７を第１磁石３５の貫通孔３６に挿入し加圧変形させて、かしめ止めすることによる。この接合は非常に強固であり、従来の接着剤などによる接合とは較べものにならない。
【００２８】
第１磁石３５は、方形であると共にネオジウム磁石であることが好ましい。第１磁石３５が同一形状の方形であること及び第１基板自体が非磁性又は低磁性の素材であることは、第２部材側の第２磁石（後述）との接合が位置的に歪まず安定化するので好ましい。ネオジウム磁石であることは強固な磁力を発生させる上で好ましく、特にＢＨ  ｍａｘ（最大エネルギー積）が３００〜５００のものが好ましい。
【００２９】
第１部材３の中央部で左側のベルト挿通孔３２付近には突起３８が設けられている。この突起３８は、ベルト側の穴に選択的に挿入するためのものである。先端は茸状とすることもできる。
【００３０】
第１部材３の中央部で右側のベルト挿通孔付近には２個所の貫通孔３９が設けられている。この貫通孔３９は、第２部材４との接合補助のためのものである。
【００３１】
第１部材３をベルト２に取り付けるには、図１及び図３に示すように、ベルト２の複数の孔から１つを選択し、突起３８に刺し通すと共に、ベルトをベルト挿通孔３２，３３に通過させることによる。
【００３２】
＜第２部材＞
第２部材４は、図５に示すように、全体の輪郭が長方形の第２基板４１である。基板４１としては、亜鉛ダイカスト、アルミニウム、メッキ可能な合成樹脂（ＡＢＳ等）など、非磁性又は低磁性の素材が好ましい。
【００３３】
第２部材４の右端の付近において、長方形のベルト挿通孔４２が設けられており、左端において、長方形の切り欠き４３が設けられている。
【００３４】
第２部材４の中央部には矩形の窪み４４が設けられており、この中に第２磁石４５が固着されている。この第２磁石４５は、前記第１磁石３５と全く同じものであり、部品を共通化させることができる。
【００３５】
第２磁石４５と第２基板４１の接合も、第１部材３のときと同じである。
【００３６】
第２部材４の中央部でベルト挿通孔４２付近には２個所の突起４６が設けられている。この突起は、第１部材３の前記貫通孔３９と嵌合可能であり、嵌合したとき、位置決めされると共に磁石同士がベルトの長手方向に移動するのを防止する。
【００３７】
第２部材４をベルトに取り付けるには、図１及び図３に示すように、ベルト２末端をベルト挿通孔４２に通過させることによる。ベルト２は、ベルト挿通孔４２に隣接する保持棒４８により保持される。
【００３８】
＜第１部材及び第２部材の接合＞
第１部材３及び第２部材４の接合状態においては、図３に示すように、第１磁石３５及び第２磁石４５同士が強固に接合すると共に、第２部材の２個所の突起４６が第１部材の２個所の貫通孔３９に刺し通されて、安定的に位置決めされる。この位置決め状態では、前記したように、磁石３５，４５同士がベルト２の長手方向に移動するのは防止されるが、磁石同士を上下方向に離脱させるのは磁石の力に抗して指で持ち上げるだけでよく、容易である。
【００３９】
このバックルＢにおいて、ベルト２の長さ調節をするのは、前記したように、ベルト２の複数の孔から１つを選択し、突起に刺し通すことであり、これは従来技術と変わらないが、長さは一度決めておけば、頻繁に変更する必要はない。日常的には磁石同士の接合で十分であって、その脱着はワンタッチであり、きわめて容易である。
【先行技術文献】
【特許文献】
【００４０】
【特許文献１】特開２００２−１９１４１０
【符号の説明】
【００４１】
Ｂ     バックル
１     靴
２     ベルト
３     第１部材
３１   基板
３２   ベルト挿通孔
３３   ベルト挿通孔
３５   磁石
３６   貫通孔
３７   ピン
３８   突起
３９   貫通孔
４     第２部材
４１   基板
４２   ベルト挿通孔
４５   磁石
４６   突起
４８   保持棒
【図１】
2012147980.tif 000003
【図２】
2012147980.tif 000004
【図３】
2012147980.tif 000005
【図４】
2012147980.tif 000006
【図５】
2012147980.tif 000007